(57)【特許請求の範囲】
【請求項１】
合成樹脂製の掃除機本体に内蔵された電動送風機に温度センサを取付け、このセンサが所定温度以上の温度を検出したことに基づいて前記電動送風機への入力を低減又は停止する電気掃除機において、
前記電動送風機が、電動送風部と、この電動送風部により生起される風が通り抜ける空気出口を有した合成樹脂製のカップ状モータカバーとを備え、
前記電動送風機の電動送風部が、ディフューザ及び遠心ファンをファンカバーの内部に収めた送風部の下流側に、固定子及び回転子並びにこれらを支持する軸受ブラケットからなる前記送風部以外の部品からなるモータ部を突出させてなり、
前記ファンカバーの外周に嵌合したモータ支持ゴムに前記モータカバーの開口縁部を嵌合するとともに、前記軸受ブラケットの軸受取付部の外面に嵌合されたモータ支持ゴムに前記モータカバーの底壁の孔を嵌合させて、前記モータカバーを前記電動送風部のモータ部を覆って取付け、
このモータカバーの前記空気出口から外れた位置に前記モータカバーの内外を貫通する検出孔を設け、感知部を有した温度センサを、前記感知部を前記モータカバーの内部に突出させることなく前記検出孔に挿入するとともに前記モータカバーの内部に臨ませて、前記モータカバーの外面に取付けたことを特徴とする電気掃除機。
【請求項２】
前記モータカバーの周壁が平面部を有し、この平面部の外面に、一体に突出する筒部からなる前記検出孔が形成されるとともに、この検出孔の両側にねじ受ボスが一体に設けられていて、前記温度センサがその感知部を前記検出孔に挿入して前記ねじ受ボスに重ねられるフランジ部分を有し、このフランジ部分を前記ねじ受ボスにねじ止めして、前記モータカバーの外面に前記温度センサを取付けたことを特徴とする請求項１に記載の電気掃除機。
【請求項３】
前記電動送風機の動作により吸込み口体の吸気口から空気を吸込み、この吸込んだ空気をフィルタに通して塵埃を捕捉し、前記フィルタを通過して前記電動送風機の空気出口から排出される空気を前記吸気口に戻して、この戻された空気を回収し循環させながら掃除を行なう空気循環式であることを特徴とする請求項１又は２に記載の電気掃除機。
【発明の詳細な説明】
【０００１】
【発明の属する技術分野】
本発明は、電動送風機に取付けられた温度センサの検出情報に基づいて前記電動送風機への入力が制御されるようにした空気循環式等の電気掃除機に関する。
【０００２】
【従来の技術】
従来の電気掃除機の電動送風機には金属製モータフレームを備えたものが採用されている。つまり、電動送風機は、有底円筒状のモータフレームの内部に固定子を取付けるとともに、この固定子の内側に配置される整流子付きの回転子を前記フレームの底壁とモータフレームの開口端側に取付けたフレーム端板とに夫々軸受を介して回転自在に支持し、フレーム端板を貫通した回転子軸の一端部にファンを取付け、このファンとフレーム端板との間に整流板を配置するとともに、モータフレームの開口端側にファンを覆うファンカバーを取付け、かつ、モータフレームにブラシ装置を取付けて形成されている。モータフレームの底壁側周部等には空気出口が開けられている。
【０００３】
この電動送風機への通電により回転子とともにファンが回転されると、ファンから吐出された空気が整流板を通ってモータフレーム内に送り込まれ、この空気は、固定子の外周面とモータフレームの内周面との間等のモータ内通路を通って、モータフレームに開口された空気出口から外部に排出され、しかる後に掃除機本体の排気口から外部に排出される。したがって、こうした送風動作に伴って、掃除機本体に連通された吸込み口体から空気を吸込み、この吸込んだ空気を電動送風機の吸込み側に配置された掃除機本体内のフィルタに通して塵埃を捕捉して掃除を行なうことができる。
【０００４】
ところで、電動送風機はその送風動作に伴って発熱する。この発熱は、固定子での巻線の抵抗による発熱と、高速回転するファンと送風される空気と摩擦によって生じる発熱とがあり、後者の発熱温度の方が高い。したがって、前記発熱によって電動送風機から出る空気の温度が異常に上昇する場合には、この電動送風機を収容している合成樹脂製の掃除機本体に熱的悪影響、つまり、電動送風機を支持しているリブ等の軟化やそれに伴う変形等を生じる恐れがある。
【０００５】
そこで、こうした温度過昇がないようにするために、従来においては金属製モータケースの外面にサーモスタットを熱伝導的に取付けて、これが所定の温度を検知したときに電動送風機への入力を一時的に断つようにしている。モータケースは既述のように金属製であるために、サーモスタットはモータケースとの間に絶縁措置を施して取付けられている。
【０００６】
又、サーモスタットをモータケースの外面に直接取付けるのではなく、前記空気出口と対向する取付け板をモータケースの外面にねじ止めして、この取付け板にサーモスタットを取付けて、空気出口から吹出される空気にサーモスタットが晒されるようにして、温度検出を行い、それに基づいて電動送風機の温度過昇がないように電動送風機への入力を停止させるものも知られている。
【０００７】
【発明が解決しようとする課題】
前記サーモスタットをモータケースの外面に熱伝導的に取付けたものでは、サーモスタットが電動送風機自体の温度を検出しており、この送風機が生起する温度が高い風の温度を直接に検出するものではない。そのため、送風される空気の温度を正確に検出する上での信頼性に欠けるものであり、その改善が求められている。
【０００８】
又、空気出口から吹出される空気にサーモスタットを晒して温度検出を行う従来例では、通常使用時の入力制御により電動送風機の回転数が変わることに従い、サーモスタットに吹付けられる空気の速度も変化するので、この風速が影響して正確に空気温度を検出することができないものであり、その改善が求められている。
【０００９】
特に、電動送風機により形成される空気の全てを掃除機本体外に排気するのではなく、電動送風機から出された空気を吸込み口体の吸気口に戻すとともに、この空気を電動送風機に回収し循環させながら掃除を行なう空気循環式の電気掃除機にあっては、空気が循環するために掃除機本体の温度が上がり易いので、この本体の熱的保護のためにサーモスタットによる温度検出をなお更正確に行なうことが要請されている。
【００１０】
しかも、いずれの従来例でも、金属製のモータケースに対するサーモスタットの電気的絶縁を行なう部材や、サーモスタットを空気出口に対向させて配置するための部材が必要であるから、サーモスタットを取付けるに際して必要な部品点数が多く、構造が複雑であるという問題がある。
【００１１】
したがって、本発明が解決しようとする第１の課題は、電動送風機から送風される空気の温度を検出できるとともに、この検出を行なう温度センサの取付けに必要な部品点数を少なくできる電気掃除機を得ることにある。
【００１３】
本発明が解決しようとする第２の課題は、前記第１の課題を解決できる空気循環式の電気掃除機を得ることにある。
【００１４】
【課題を解決するための手段】
本発明は、合成樹脂製の掃除機本体に内蔵された電動送風機に温度センサを取付け、このセンサが所定温度以上の温度を検出したことに基づいて前記電動送風機への入力を低減又は停止する電気掃除機を前提とする。
【００１５】
そして、前記第１の課題を解決するために、請求項１の発明は、前記電動送風機が、電動送風部と、この送風部を覆って設けられるとともに前記電動送風部により生起される風が通り抜ける空気出口を有した合成樹脂製のモータカバーとを備え、前記電動送風機が、電動送風部と、この電動送風部により生起される風が通り抜ける空気出口を有した合成樹脂製のカップ状モータカバーとを備え、前記電動送風機の電動送風部が、ディフューザ及び遠心ファンをファンカバーの内部に収めた送風部の下流側に、固定子及び回転子並びにこれらを支持する軸受ブラケットからなる前記送風部以外の部品からなるモータ部を突出させてなり、前記ファンカバーの外周に嵌合したモータ支持ゴムに前記モータカバーの開口縁部を嵌合するとともに、前記軸受ブラケットの軸受取付部の外面に嵌合されたモータ支持ゴムに前記モータカバーの底壁の孔を嵌合させて、前記モータカバーを前記電動送風部のモータ部を覆って取付け、このモータカバーの前記空気出口から外れた位置に前記モータカバーの内外を貫通する検出孔を設け、感知部を有した温度センサを、前記感知部を前記モータカバーの内部に突出させることなく前記検出孔に挿入するとともに前記モータカバーの内部に臨ませて、前記モータカバーの外面に取付けたことを特徴とするものである。
【００１６】
この発明においては、電動送風機の電動送風部を覆った合成樹脂製のモータカバーに温度センサを取付けて温度検出を行なうから、この温度センサの取付けに際して電気絶縁板を用いる等の格別な絶縁処理を省略できるとともに、モータカバーの空気出口から外れた位置に温度センサを取付けたから、このセンサを空気出口に臨ませる部品を必要とせず、直接モータカバーに温度センサを取付けることができる。そして、モータカバーの内部には電動送風部により生起されてモータカバーの空気出口を通り抜けようとする空気が満たされるものであり、温度センサはその感知部を少なくともモータカバーの内部に臨ませて温度検出をするから、結局のところ、温度センサは、モータカバー内部の雰囲気温度、言い換えれば、電動送風機から送風される空気の温度を検出できる。
【００１８】
しかも、モータカバー内の雰囲気温度を検出する温度センサの感知部がモータカバー内に突出しておらず、このカバー内を通り抜ける空気に直接晒されることがないため、通常使用時の入力調節により電動送風機の回転数が変わることに伴いモータカバーを通り抜ける空気の速度が変わっても、それが温度センサの検出に影響することを極力少なくできる。
又、この発明の好ましい形態として、請求項２の発明のように、前記モータカバーの周壁が平面部を有し、この平面部の外面に、一体に突出する筒部からなる前記検出孔が形成されるとともに、この検出孔の両側にねじ受ボスが一体に設けられていて、前記温度センサがその感知部を前記検出孔に挿入して前記ねじ受ボスに重ねられるフランジ部分を有し、このフランジ部分を前記ねじ受ボスにねじ止めして、前記モータカバーの外面に前記温度センサを取付けるとよい。
【００１９】
前記第２の課題を解決するために、請求項３の発明は、請求項１又は２の発明の電気掃除機が、前記電動送風機の動作により吸込み口体の吸気口から空気を吸込み、この吸込んだ空気をフィルタに通して塵埃を捕捉し、前記フィルタを通過して前記電動送風機の空気出口から排出される空気を前記吸気口に戻して、この戻された空気を回収し循環させながら掃除を行なう空気循環式であることを特徴とするものである。
【００２０】
この発明によれば、空気循環式電気掃除機において既述の請求項１又は２の発明の作用を得ることができる。したがって、空気循環により掃除機本体の温度が上昇し易いにも拘らず、前記温度センサにより循環される空気の温度を正確に検出できるから、それに基づく電動送風機に対して入力を低減又は停止する制御により掃除機本体を熱的に保護することができる。
【００２１】
【発明の実施の形態】
以下、図１〜図８を参照して本発明の第１の実施の形態を説明する。図１及び図２に示されるように第１の実施の形態に係るハンディ型の空気循環式電気掃除機１１は、掃除機本体１２と、吸込み口体１３とを備えている。
【００２２】
後部上面にハンドル１２ａを有した掃除機本体１２は、上下又は左右一対の合成樹脂製本体ケース２１をねじ止め等により連結して形成されている。本体ケース２１の前部にはその前傾した前端面に一端が露出する接続口２２が取付けられている。接続口２２には吸込み口体１３が着脱自在に挿入して取付けられる。この接続口２２は、大径部と小径部とを連ねて段付き円筒状をなしていて、その小径部と大径部との境をなす壁面には複数の通気孔２２ａが周方向に間隔的に設けられている。
【００２３】
図２に示されるように両本体ケース２１の内面にはこれらの連結に伴って先端が互いに当接される所要の仕切りリブが一体に設けられており、これらリブによって、本体ケース２１内は、前部の集塵室２３と、中間部の排気室２４と、後部のリール収容部２５と、集塵室２３及び排気室２４の下側にわたる戻し空気路をなす本体ケース２１下部の還流室２６とに仕切られている。排気室２４の前側に位置された集塵室２３の上面は開口され、この開口は本体ケース２１の前部上側部分に着脱可能に取付けられるケース蓋２７により気密的に閉じられている。
【００２４】
図２に示されるように集塵室２３の前壁はフィルタ取付け部２８として形成され、このフィルタ取付け部２８の上端近傍には手動によりばね２９の力に抗して図２中矢印方向に回動操作されるフィルタ押さえ３０が取付けられている。集塵室２３に出し入れ可能に収容されるフィルタとしての紙パック製の集塵袋３１は、その平板状の口枠３１ａをフィルタ押さえ３０によりフィルタ取付け部２８に取付けることにより集塵室２３に収容されている。集塵室２３の後部には多数の細長い通気孔を有したフィルタ支え３２が収容され、このフィルタ支え３２は掃除動作に伴い膨張した集塵袋３１の後面を支持する。
【００２５】
排気室２４には電動送風機３５がその吸込み口を集塵室２３側に向けて設置されている。３６、３７は電動送風機３５の前後両端部に嵌合された防振用のモータ支持ゴムである。排気室２４と集塵室２３との境界部に位置される仕切りリブ３８には前記吸込み口に対向する開口３８ａが開けられており、それによって集塵室２３内の集塵袋３１を通過した空気が電動送風機３５に吸込まれる。
【００２６】
電動送風機３５は、電動送風部と、電気絶縁性を有する合成樹脂製のモータカバー３９とを備えている。
【００２７】
すなわち、図２に示されるよう電動送風部は、固定子３５ａと、この固定子３５ａの鉄心の一端面に固定された軸受ブラケット３５ｂにねじ止めされたディフューザ３５ｃと、このディフューザ３５ｃの周部に嵌合して取付けられて前記吸込み口を有したファンカバー３５ｄと、固定子鉄心の他端面にねじ止めされた軸受ブラケット３５ｅ及び前記ブラケット３５ｂに夫々取付けられた軸受にわたって回転自在に支持された回転子３５ｆと、この回転子３５ｆの回転子軸の一端部に連結されてファンカバー３５ｄで覆い隠される遠心ファン３５ｇと、回転子３５ｆが有する整流子３５ｈに弾性的に押付けられるカーボンブラシを有した図示しない一対のブラシ装置とを有している。
【００２８】
したがって、この電動送風部は、ディフューザ３５ｃ及び遠心ファン３５ｇをファンカバー３５ｄの内部に収めた送風部の下流側に、固定子３５ａ及び回転子３５ｆ等の前記送風部以外の部品からなるモータ部が突出した構成となっている。ファンカバー３５ｄの外周面には前記モータ支持ゴム３６が嵌合されている。軸受ブラケット３５ｅの軸受取付部３５ｉ以外の所は例えば４本の柱構造をなしており、そのうちの２本の柱部に前記ブラシ装置が取付けられている。
【００２９】
電動送風機３５の運転時には、その吸込み口から遠心ファン３５ｇに吸込まれた集塵室２３側の空気が、このファン３５ｇの周囲から吐出された後、ファンカバー３５ｄの内面で案内されながらディフューザ３５ｃ内にその外周部の入口から流入し、そして、このディフューザ３５ｃにより静圧化されながらモータ部の固定子３５ａの周囲に向けて流出される。
【００３０】
図２に示されるようにディフューザ３５ｃよりも下流側に突出した前記モータ部はモータカバー３９で覆われている。このカバー３９は、図２及び図５に示されるようにカップ状に成形されており、その開口縁部をファンカバー３５ｄの外周部に嵌合されたモータ支持ゴム３６に嵌合して取付けられている。両カバー３５ｄ、３９間には前記モータ支持ゴム３６のディフューザ３５ｃ側の端部が挟まれて、これらの間を気密的にシールしている。
【００３１】
モータカバー３９には、電動送風機３５から出る排気に対して掃除機本体１２を熱的に保護するため温度センサとして、例えば温度過昇防止用のサーモスタット４０（図４〜図６参照）が後述のように取付けられている。電動送風機３５への通電回路に直列に挿入されて、この回路を開閉するサーモスタット４０は、図６に示されるように熱応動スイッチ（図示しない）を合成樹脂で覆ってなる短い円柱状のサーモスタット本体４０ａの一端部に熱を感知する感知部４０ｂを設けている。感知部４０ｂは良熱伝導材料例えばアルミニューム製であって、前記一端部にこれを覆ってかしめ付けられたキャップ状部分と、この部分に連なったフランジ部分４０ｂ１を有している。
【００３２】
図５及び図６に示されるようにモータカバー３９の周壁は平面部３９ｅを有しており、この平面部３９ｅに、モータカバー３９の内外を貫通する検出孔３９ａが前記平面部３９ｅの外面に一体に突出する短い筒部によって形成されているとともに、この検出孔３９ａの径方向両側に一対のねじ受ボス３９ｂが一体に設けられている。前記サーモスタット４０は、感知部４０ｂのキャップ状部分を検出孔３９ａに挿入するとともに、それによってねじ受ボス３９ｂに重ねられたフランジ部分４０ｂ１を、この部分４０ｂ１を貫通してねじ受ボス３９ｂに夫々ねじ込まれるねじ４９の締付けによって、モータカバー３９の外面に取付けられている。したがって、サーモスタット４０はその感知部４０ｂをモータカバー３９の内部に臨ませて取付けられているとともに、この場合、好ましくは図５中に示されるように感知部４０ｂをモータカバー３９内に突出することなく、より好ましくは、モータカバー３９の内部から後退させるように検出孔３９ａ内に収めて設けるとよい。
【００３３】
又、図４等に示されるようにモータカバー３９の周壁には、その内部と周囲の排気室２４とを連通する複数の排気通孔４１（一つのみ図示）が開けられていて、少なくとも一部の排気通孔４１は電動送風機３５に接続されるリード線（図示しない）の通路としても利用される。モータカバー３９の底壁３９ｃ中央部に設けた孔３９ｄ（図５参照）には前記ブラケット３５ｅの軸受取付部３５ｉが貫通され、この取付部３５ｉの外面に前記モータ支持ゴム３７が嵌合されている。
【００３４】
前記モータカバー３９を備えた電動送風機３５は、その前後両端部にモータ支持ゴム３６、３７を夫々嵌め付けた状態で、排気室２４及びリール収容部２５の境界をなす仕切りリブ４５と前記仕切りリブ３８との間に挿入して設置される。なお、こうした支持は掃除機本体１２の組み立てに伴って一対の本体ケース２１の夫々についてなされる。
【００３５】
図２に示されるようにリール収容部２５には電動送風機３５に給電するためのコードリール５１が収容されている。又、掃除機本体１２の後部壁には排気口５２が複数設けられている。これら排気口５２のうち掃除機本体１２の後壁２１ａに在る部分は、後壁２１ａを下にして掃除機本体１２を床面上に立てて置く場合に脚として使用するために後壁２１ａの外面に突設された脚用突部５０に開口されている。排気口５２と前記排気室２４とは、コードリール５１の外面に沿って形成された図示しないトンネル状の排気径路を介して連通されている。この排気径路は、コードリール５１の電源コードが通る本体ケース２１の図示しないコード通し部からの排気の吹出しを防止するために有効であるが、コードリール５１全体を排気から隔離するリブを本体ケース２１に設ける場合などには省略できるとともに、電動送風機３５の最大送風時において後述の吸気口からの空気の吹出しがないように空気の循環と電動送風機３５の送風能力のバランスが取れている空気循環式電気掃除機においては、既述の掃除機本体１２から外部へ排気するための構造は省略できる。
【００３６】
図２及び図３等に示されるように前記モータカバー３９の周部には前記排気通孔４１に比較して遥かに開口面積が大きく短い角筒状の空気出口５３が下向きに一体に突設され、この出口５３にはゴムパッキン５４が嵌合されている。空気出口５３は前記還流室２６を仕切る仕切りリブ５５に設けた孔５６に気密的に接続されている。そのため、空気出口５３を介してモータカバー３９内と還流室２６における掃除機本体１２の後部側端部とは連通されている。空気出口５３と前記サーモスタット４０が挿入された検出孔３９ａとは互いに例えば９０°程度周方向にずれた位置に設けられ、それによって、空気出口５３を通り抜ける空気の流れにサーモスタット４０の感知部４０ｂが直接晒されないようにしてある。
【００３７】
図１及び図２中５８は電動送風機３５への通電をオン・オフするスイッチである。又、５９は、電動送風機３５の吸込み側に位置する集塵室２３内の真空圧が所定の値より下がった時に開いて外気を集塵室２３内に導入するためのリーク弁である。
【００３８】
次に、図７及び図８等を参照して前記吸込み口体１３について説明する。吸込み口体１３は、掃除機本体１２側に連通される接続部としての接続管１０１と、吸込み口体主部１０２とを備えている。
【００３９】
前記接続口２２に着脱可能に挿入して掃除機本体１２側に連通される接続管１０１は、図７に示されるように両端が開口された内側接続管１０５と、この先端部側に一体かつ同軸的に設けられた外側接続管１０６とを有している。
【００４０】
外側接続管１０６よりも長い円筒形状の内側接続管１０５は、接続口２２の小径部に挿入されて前記口枠３１ａが有するゴム製シール弁（図示しない）、又は接続口２２の集塵室２３側端部に嵌め付けられるゴム製シール弁（図示しない）を押し開いて、塵埃を含んだ空気を前記集塵袋３１内に導くようになっている。この内側接続管１０５の本体ケース２１外に突出される先端部の開口縁には上下一対のストッパ突縁１０７、１０８が外向きに突出されている。
【００４１】
外側接続管１０６は、接続口２２の大径部に挿入されるもので、その軸方向一端において内側接続管１０５との間に還流空気導入口１０６ａを形成している。この外側接続管１０６の軸方向他端部には前記軸方向に対して直角で互いに外側方向を向いて開口する左右一対の還流空気導出口１０６ｂが形成されている。これら還流空気導出口１０６ｂの周壁は円環形の枢軸筒部１０９をなしており、この筒部１０９の外周面には周方向に連続するフランジ１１０が一体に突設されている。外側接続管１０６の還流空気導入口１０６ａ側の外周面には合成ゴム製Ｏリング等の気密シール材１１１が取付けられている。なお、図７中１１２は外側接続管１０６から一体に突設された爪である。
【００４２】
この接続管１０１は、図２に示されるように外側接続管１０６が接続口２２の通気孔２２ａが開けられた壁面に当るまで挿入され、この挿入により外側接続管１０６が接続口２２の内周面に嵌合されて、この内周面との間の気密を気密シール材１１１により確保して、かつ、この状態で周方向に回動させることにより、通気孔２２ａを通った前記爪１１２を通気孔２２ａを有した前記壁面に引っ掛けて本体ケース２１に取付けられる。前記爪１１２の引っ掛りにより接続口２２に対する吸込み口体１３に対する外れ止めがなされるとともに、前記還流室２６と外側接続管１０５の内部とは、還流空気導入口１０６ａ及びこれと近接して対向する通気孔２２ａとを介して連通される。
【００４３】
吸込み口体主部１０２は主部上ケース１２１と主部下ケース１２２とをねじ止めにより連結して形成されている。主部上下両ケース１２１、１２２の内面には半円状の凹みを有したリブからなる一対の軸受板１２３、１２４が一体に突設されていて、これらにより前記各枢軸筒部１０９が夫々上下から挟まれ回動可能に支持されている。この支持構造により吸込み口体主部１０２が接続管１０１に対して上下方向に回動可能に枢着され、その回動により被掃除面に対して適正な姿勢を吸込み口体主部１０２が得られるようになっている。接続管１０１に対する吸込み口体主部１０２の上下方向に回動は、前記ストッパ突縁１０７、１０８により規制されるとともに、この回動の際フランジ１１０と軸受板１２３、１２４との互いの合い面は摺接されるようになっている。
【００４４】
吸込み口体主部１０２内は、互いに連続する仕切り１２５、１２６によって内側接続管１０５に連通する回収室１２７と、この回収室１２７をその下面開口を除いて囲む吹出し室１２８とに区画されている。仕切り１２５は、主部上ケース１２１の内面の幅方向中央部に一体に突設されたリブからなり、内側接続管１０５の先端開口に対向している。仕切り１２６は、主部上下両ケース１２１、１２２とは別に成形された合成樹脂板からなり、吸込み口体主部１０２の前部の幅方向略全体にわたって配置されているとともに、その中央部は仕切り１２５に凹凸嵌合されている。回収室１２７は吸気口１２９に連通されており、また、吹出し室１２８には前記還流空気導出口１０６ｂが連通されている。吸気口１２９は主部下ケース１２２の被掃除面と対向する底壁１２２ａに開口して設けられている。
【００４５】
仕切り１２６の下端面と底壁１２２ａの内面との間には、回収室１２７の一側（本実施の形態では前側）に位置される還流吹出し口１３０が形成されている。この還流吹出し口１３０からは吹出し室１２８内に戻された空気が回収室１２７側に向けて吹出される。なお、図７において符号１３１は、スペーサ手段として底壁１２２ａの周部に間隔的に植え込まれた下向きの第１ブラシ毛であり、被掃除面と吸気口１２９との間に所定の狭い吸込み間隙を形成するようになっている。
【００４６】
吸込み口体主部１０２の底部には還流吹出し口１３０から吹出される空気の吹出し方向を制御する吹出し制御体１４１が取付けられている。すなわち、この制御体１４１は、合成樹脂により枠状に成形された制御体本体１４２の前枠部により風向き制御板部１４３を形成するとともに、後枠部に被掃除面を検出するための検出部としての第２ブラシ毛１４４を下向きに突設して形成されている。第２ブラシ毛１４４は吸込み口体主部１０２の幅方向に密に連続して設けられるとともに、第１ブラシ毛１３１よりも下方への突出長さが長く、かつ、軟質である。
【００４７】
吹出し制御体１４１は、その左右両側の枠部から外側に一体に突設された図示しない枢軸部を前記底壁１２２ａに形成された一対の軸受部（図示しない）に夫々嵌合することによって、前記枢軸部を支点として回動自在に取付けられている。この制御体１４１はその後枠部と前記底壁１２２ａとの間に挟設された付勢体としてのばね１４６で下方に付勢されている。
【００４８】
したがって、吹出し制御体１４１の風向き制御板部１４３は、被掃除面から吸込み口体１３が離れているときには、図７（Ａ）に示されるように回収室１２７内において還流吹出し口１３０より上側に位置されるから、還流吹出し口１３０から吹出される空気は、風向き制御板部１４３に吹き当たることなく被掃除面と略平行に後方に向けて吹出される。言い換えれば、吸気口１２９から下方に向かうことなく吹出されて、内側接続管１０５内に吸込まれるようになっている。又、被掃除面に吸込み口体１３が接触したときには、第２ブラシ毛１４４が被掃除面により押上げられてばね１４６の付勢力に抗して吹出し制御体１４１が回動されるので、この制御体１４１の風向き制御板部１４３は、図７（Ｂ）に示されるように回収室１２７内において還流吹出し口１３０と対向して位置される。そのため、還流吹出し口１３０から吹出される空気は、風向き制御板部１４３に吹き当たって斜め下方に向けて案内されるので、吸気口１２９を通って下方に吹き出て被掃除面で反射され再び吸気口１２９から前記底壁１２２ａと被掃除面との間の外部の空気とともに回収室１２７に吸込まれ、引続いて内側接続管１０５内に吸込まれるようになっている。
【００４９】
次に、前記構成の電気掃除機１１の動作を説明する。この電気掃除機１１は図図２に示されるように掃除機本体１２の接続口２２に吸込み口体１３の接続管１０１を差込み接続した状態で、ハンドル１２ａを握持して電気掃除機１１全体を持ったままで、コードリール５１から巻き戻された電源コードを介して電動送風機３５に給電してこの送風機３５を運転することにより使用される。
【００５０】
この使用時には、吸込み口体１３の内側接続管１０５を通って集塵袋３１に流入した吸気空気（図２及び図７中点線矢印で流れ方向示す）中に含まれる塵埃が集塵袋３１に捕捉され、この集塵袋３１を通った空気は、更にフィルタ支え３２を通過して電動送風機３５に吸込まれてから、そのモータカバー３９の空気出口５３を通って還流室２６に排出されるとともに、その一部は排気通孔４１を通って排気室２４に排出される。
【００５１】
こうして還流室２６に流入した排気は、接続口２２の通気孔２２ａから接続管１０１の外側接続管１０６内に導入されて、この外側接続管１０６の一対の還流空気導出口１０６ｂから吸込み口体主部１０２の吹出し室１２８に導出された後、還流吹出し口１３０から接続管１０１側に吹出されて、接続管１０１の内側接続管１０５を介して掃除機本体１２側に吸込まれる。こうした空気の流れのうち還流吹出し口１３０までの流れを図２及び図７中実線矢印で示す。このように電動送風機３５から排出された空気を吸込み口体１３で回収し循環させることに伴い、その勢いで吸込み口体１３の底壁１２２ａと被掃除面との間の塵埃が外部の空気とともに吸気口１２９に吸込まれるので、空気循環式の掃除をすることができる。
【００５２】
なお、このような掃除中において、モータカバー３９内の空気の一部は既述のように排気通孔４１を通るので、排気室２４には排気が満たされる。こうして排気室２４に満たされた排気は、図示しない排気径路を通って掃除機本体１２の後壁２１ａに形成された排気口５２から掃除機本体１２外に排出される。
【００５３】
そして、前記空気循環式の掃除に伴って、電動送風機３５の温度はその固定子巻線での発熱及び遠心ファン３５ｇと空気との摩擦による発熱で上昇するとともに、既述のように循環する空気の温度も前記摩擦熱を主原因として高まるものであり、かつ、前者の発熱温度よりも後者の発熱温度の方が高いことは既述した通りである。したがって、これらの温度が異常に高まることは合成樹脂製の掃除機本体１２に熱的悪影響を与える恐れがある。
【００５４】
しかし、この電気掃除機においては電動送風機３５にサーモスタット４０を取付けて、熱的保護を図っている。すなわち、このサーモスタット４０が所定温度以下を検出している間は、電動送風機３５への通電が維持されて掃除運転が継続されるが、何らかの理由でサーモスタット４０が所定温度を超える温度を検出すると、その時点で電動送風機３５への通電が断たれるので、それ以上に温度が上昇して熱的に異常な状態となることを未然に防止できる。なお、この後に、温度が自然に下がって前記所定温度以下になると、再び電動送風機３５への通電ができる。
【００５５】
ところで、電動送風機３５のモータ部を収容したモータカバー３９は、それ自体が熱絶縁性に優れており、しかも、遠心ファン３５ｇとの摩擦熱を受けた空気が直接的に吹付けられる金属製ファンカバー３５ｄに対してはモータ支持ゴム３６を介在して熱絶縁されているので、電動送風機３５の最も高温となる送風部から熱伝導の影響を受けずらい。そのため、このモータカバー３９に取付けられたサーモスタット４０の温度は、当然電動送風機３５の電動送風部からの熱伝導に影響されずらいものである。
【００５６】
そして、このサーモスタット４０は、その感知部４０ｂをモータカバー３９の検出孔３９ａに挿入して、このカバー３９の内部に臨ませているから、モータカバー３９内の空気の温度、言い換えれば、循環する空気の中で遠心ファン３５ｇを通過して高温となってモータカバー３９内に満ちる空気の温度を、感知部４０ｂで検出できる。
【００５７】
このようにサーモスタット４０によってモータカバー３９内部の雰囲気温度、言い換えれば、電動送風機３５から送風されて循環を開始しようとする空気の温度を検出できる。この場合に、高温となる前記送風部に熱的に影響されることないから、循環空気温度の検出の正確性が高い。
【００５８】
その上、サーモスタット４０は、モータカバー３９の空気出口５３から外れた位置に取付けられていることとあいまって、その感知部４０ｂがモータカバー３９内に突出していないから、空気出口５３を通り抜ける空気に感知部４０ｂが直接晒されることがないだけではなく、モータカバー３９内を通り抜ける空気に感知部４０ｂが直接晒されることがない。そのため、通常使用時の入力調節により電動送風機３５の回転数が変わることに伴いモータカバー３９を通り抜ける空気の速度が変わっても、それがサーモスタット４０の温度検出に影響することを極力少なくでき、循環空気温度の検出の正確性をより高くできる。
【００５９】
したがって、電動送風機３５の運転に対するサーモスタット４０による熱的保護のための入力制御、つまり、電動送風機３５への通電回路のオン・オフを、最も温度が高い循環空気の雰囲気温度を正確に検出して行なうことができる。そのため、循環する空気温度が異常に上がり過ぎて、掃除機本体１２の循環空気の空気路をなしている部分などが軟化したり変形したりするおそれを未然に防止することができるものであり、又、掃除機本体１２をなす本体ケース２１の合成樹脂材料に耐熱グレードが低く、したがって低コストの合成樹脂材料の採用も必要に応じて可能とできる。
【００６０】
又、既述のように循環する空気の雰囲気温度を検出するサーモスタット４０を、電動送風機３５の合成樹脂製モータカバー３９に取付けたから、このサーモスタット４０の取付けに際して電気絶縁板を用いる等の格別な絶縁処理を省略できる。しかも、モータカバー３９の空気出口５３から外れた位置にサーモスタット４０を取付けたから、このサーモスタット４０を空気出口５３に臨ませて取付けるための部品を必要とせず、直接モータカバー３９にサーモスタット４０を取付けることができる。そのため、サーモスタット４０の取付けに必要な部品点数及び取付けの手間を少なくできるとともに、サーモスタット４０の取付け構造を簡単にできる。
【００６１】
しかも、サーモスタット４０が取付けられる部分が合成樹脂製であることにより、モータカバー３９にサーモスタット４０の取付けに最適なフランジ部分４０ｂ１を受けるねじ受ボス３９ｂ等を容易に作ることができ、それに応じてサーモスタット４０のモータカバー３９への取付け作業性をより向上させることができる。なお、従来の場合には、金属製モータフレームは円筒状をなしているので、その円弧状周面に沿ってサーモスタットを取付けなければならず、作業が面倒であるとともに、サーモスタット取付け用のフランジ部分等をモータフレームに一体に加工することは容易ではない。
【００６２】
なお、本発明は前記実施の形態には制約されるものではない。例えば、前記実施の形態では温度センサとしてサーモスタットを採用したが、これに代えてスイッチ機能を有しない正特性サーミスタ等の温度センサを採用してもよい。この場合には、温度センサの出力値（検出信号の値）を比較手段等に入力して所定温度（基準値）に達したかどうかを判定し、所定温度を越えたとの判断が成立したときには、この比較手段の比較出力に基づいてコントローラにより電動送風機への入力を制御するようにしてもよい。ここにおける熱的保護のための入力制御としては、電動送風機への通電回路に挿入したスイッチをオン・オフしてもよいとともに、これに代えて電動送風機への通電回路に挿入したトライアック等の通電制御素子を制御して、電動送風機への入力を低減若しくは停止させるようにしてもよい。
【００６３】
又、本発明は、キャニスタ型の空気循環式電気掃除機にも適用できるとともに、空気を循環させないで排気の全てを掃除機本体外に排気する電気掃除機にも適用できる。
【００６４】
【発明の効果】
本発明は、以上説明したような形態で実施され、以下に記載されるような効果を奏する。
【００６５】
請求項１、２に記載の発明によれば、電動送風機への温度センサの取付けに際して格別な絶縁処理等を省略できるので、温度センサの取付けに必要な部品点数を少なくできるとともに、この温度センサは、電動送風機の入力を低減又は停止して熱的保護を行なう入力制御のために、電動送風機が備える電動送風部により生起される風が満たされるモータカバー内部の雰囲気温度を検出することができる。
【００６６】
更に、温度センサの感知部がモータカバー内を通り抜ける空気に直接晒されることがないため、電動送風機から送風される空気の温度をより正確に検出できる。
【００６７】
請求項３に記載の発明によれば、前記第１の課題を解決できる空気循環式電気掃除機を提供できる。
【図面の簡単な説明】
【図１】本発明の第１の実施の形態に係るハンディ型の空気循環式電気掃除機全体を掃除機本体と吸込み口体とを分離した状態で示す斜視図。
【図２】図１に示された電気掃除機全体を掃除機本体に吸込み口体が接続された状態で示す縦断側面図。
【図３】図１に示された電気掃除機全体をその一方の本体ケースを取外した状態で示す斜視図。
【図４】図１に示された掃除機本体の一方の本体ケースの後部と電動送風機とを分離した態で示す斜視図。
【図５】図２に示された電動送風機が備えるモータカバーの構成をそれにサーモスタットが取付けられた状態で示す断面図。
【図６】図２に示された電動送風機が備えるモータカバーへのサーモスタットの取付け構造を分解して示す斜視図。
【図７】（Ａ）は図１に示された吸込み口体の構成を被掃除面から離した状態で示す縦断側面図。
（Ｂ）は図１に示された吸込み口体の構成を被掃除面に接触させた状態で示す縦断側面図。
【図８】（Ａ）は図７に示された吸込み口体が備える接続管の構成を示す側面図。
（Ｂ）は図８（Ａ）中Ｗ−Ｗ線に沿って示す断面図。
【符号の説明】
１１…電気掃除機、
１２…掃除機本体、
２１…本体ケース、
２４…排気室、
３１…集塵袋（フィルタ）、
３５…電動送風機、
３５ａ…固定子（電動送風部のモータ部）、
３５ｂ…軸受ブラケット（電動送風部のモータ部）、
３５ｃ…ディフューザ（電動送風部の送風部）、
３５ｄ…ファンカバー（電動送風部の送風部）、
３５ｅ…軸受ブラケット（電動送風部のモータ部）、
３５ｆ…回転子（電動送風部のモータ部）、
３５ｇ…遠心ファン（電動送風部の送風部））、
３５ｈ…整流子（電動送風部のモータ部）、
３５ｉ…軸受ブラケット３５ｅの軸受取付部、
３６…モータ支持ゴム
３７…モータ支持ゴム
３９…モータカバー、
３９ａ…検出孔、
３９ｂ…ねじ受ボス、
３９ｃ…底壁、
３９ｄ…底壁の孔、
３９ｅ…平面部、
４０…サーモスタット（温度センサ）、
４０ｂ…感知部、
４０ａ１…フランジ部、
５３…空気出口、
１２９…吸気口。
【図１】
0003683719.tif 000002
【図２】
0003683719.tif 000003
【図３】
0003683719.tif 000004
【図４】
0003683719.tif 000005
【図５】
0003683719.tif 000006
【図６】
0003683719.tif 000007
【図７】
0003683719.tif 000008
【図８】
0003683719.tif 000009